(57)【要約】【課題】  回路規模や消費電力を抑制しつつも、滑らかな補間画像を得ることのできる信号変換装置及びその信号変換方法を提供する。【解決手段】  第１走査線上の画素データを格納するラインメモリ２ａと、その１水平同期期間前の第２走査線上の画素データを格納するラインメモリ２ｂと、両走査線上の同一列に位置する画素データの差分値が第１閾値以上か否かを判定するライン間差分検出手段４と、第１及び第２走査線内のそれぞれについて、隣接画素データの差分値が第２閾値以上か否かを判定するライン内差分検出手段５ａ・５ｂと、ライン間差分検出手段４及びライン内差分検出手段５ａ・５ｂの判定結果に基づいて画素毎に補間方法を決定する補間処理決定手段６と、ラインメモリ２ａ及び２ｂに格納された画素データを読み出すとともに、補間処理決定手段６によって決定された補間方法に基づいて補間画素データを生成する補間画素データ生成手段７と、を備える。【選択図】        図１
2009077029.tif 000002
【特許請求の範囲】
【請求項１】
インターレース走査信号方式の映像信号から走査線補間により補間画素データを生成してプログレッシブ走査信号方式の映像信号に変換する信号変換装置であって、
第１走査線上の画素データを格納する第１ラインメモリと、
前記第１走査線の１水平同期期間前の第２走査線上の画素データを格納する第２ラインメモリと、
前記第１走査線上及び前記第２走査線上の同一列に位置する画素データの差分値が第１閾値以上か否かを判定するライン間差分検出手段と、
前記第１走査線内及び前記第２走査線内のそれぞれについて、隣接画素データの差分値が第２閾値以上か否かを判定するライン内差分検出手段と、
前記ライン間差分検出手段及び前記ライン内差分検出手段の判定結果に基づいて画素毎に補間方法を決定する補間処理決定手段と、
前記第１ラインメモリ及び前記第２ラインメモリに格納された画素データを読み出すとともに、前記補間処理決定手段によって決定された補間方法に基づいて補間画素データを生成する補間画素データ生成手段と、を備え、
前記補間処理決定手段が、
補間方法決定対象となる補間ライン上の対象補間画素と同一列位置において、前記ライン間差分検出手段の判定結果が前記第１閾値以上であれば、前記ライン内差分検出手段の判定結果に基づいて当該同一列位置における画素と前後いずれかに隣接する隣接画素の画素データの差分値が前記第２閾値以上を示している走査線を前記第１及び第２走査線内から検索するとともに、検索された場合には当該走査線を第１特定走査線と特定し、さらに他方の走査線である第２特定走査線上において、当該同一列位置から走査方向に向かって前記ライン内差分検出手段の判定結果が前記第２閾値以上を示している画素を特定画素と特定し、
前記補間ライン上において、前記対象補間画素と、前記特定画素と同一列位置における画素の中間位置において、隣接画素との画素データの差分値が前記第２閾値以上となるように補間方法を決定することを特徴とする信号変換装置。
【請求項２】
前記補間処理決定手段が、
前記補間ライン上において、前記対象補間画素から前記中間位置よりも前に位置する画素までについては、前記第２特定走査線上の同一列位置における画素に係る画素データの値を採用し、前記中間位置から前記特定画素と同一列位置までに位置する画素については、前記第１特定走査線上の同一列位置における画素に係る画素データの値を採用することで補間処理を行う決定をすることを特徴とする請求項１に記載の信号変換装置。
【請求項３】
前記補間処理決定手段が、
補間方法決定対象となる補間ライン上の対象補間画素と同一列位置において、前記ライン間差分検出手段の判定結果が前記第１閾値未満であれば、前記対象補間画素の画素データとして、前記対象補間画素と同一列位置における前記第１走査線上並びに前記第２走査線上の画素データの平均値を採用する補間処理を行う決定をすることを特徴とする請求項１または２に記載の信号変換装置。
【請求項４】
前記第１ラインメモリが、インターレース走査信号で構成される画素データが順次入力され、
前記第２ラインメモリが、前記第１ラインメモリにおいて１走査線分の画素データが格納されると、前記第１ラインメモリから当該画素データが順次入力される構成であることを特徴とする請求項１〜３のいずれか一に記載の信号変換装置。
【請求項５】
前記補間画像データ生成手段によって生成された補間画素データを格納する第３ラインメモリと、
前記第２ラインメモリから前記第２走査線上の画素データを、前記第３ラインメモリから前記補間画素データを、それぞれ１走査線分ずつ交互に読み出して出力する出力手段と、を備えることを特徴とする請求項１〜４のいずれか一に記載の信号変換装置。
【請求項６】
インターレース走査信号方式の映像信号から走査線補間により補間画素データを生成してプログレッシブ走査信号方式の映像信号に変換する信号変換方法であって、
第１走査線上の画素データ及び、前記第１走査線の１水平同期期間前の第２走査線上の画素データを格納する第１ステップと、
前記第１走査線上及び前記第２走査線上の同一列に位置する画素データの差分値が第１閾値以上か否かを判定する第２ステップと、
前記第１走査線内及び前記第２走査線内のそれぞれについて、隣接画素データの差分値が第２閾値以上か否かを判定する第３ステップと、
前記ライン間差分検出手段及び前記ライン内差分検出手段の判定結果に基づいて画素毎に補間方法を決定する第４ステップと、
格納された前記第１走査線上並びに前記第２走査線上の画素データを読み出すとともに、前記第４ステップによって決定された補間方法に基づいて補間画素データを生成する第５ステップと、を有し、
前記第４ステップが、
補間方法決定対象となる補間ライン上の対象補間画素と同一列位置において、前記第２ステップの判定結果が前記第１閾値以上であれば、前記第３ステップの判定結果に基づいて当該同一列位置における画素と前後いずれかに隣接する隣接画素の画素データの差分値が前記第２閾値以上を示している一方の走査線を前記第１及び第２走査線内から検索するとともに、検索された場合には当該走査線を第１特定走査線と特定し、さらに他方の走査線である第２特定走査線上において、当該同一列位置から走査方向に向かって前記第３ステップの判定結果が前記第２閾値以上を示している画素を特定画素と特定し、
前記補間ライン上において、前記対象補間画素と、前記特定画素と同一列位置における画素の中間位置において、隣接画素との画素データの差分値が前記第２閾値以上となるように補間方法を決定することを特徴とする信号変換方法。
【発明の詳細な説明】
【技術分野】
【０００１】
本発明は、信号変換装置及び信号変換方法に関し、より詳細にはインターレース走査信号方式の映像信号をプログレッシブ走査信号方式の映像信号に変換する信号変換装置及びその信号変換方法に関するものである。
【背景技術】
【０００２】
従来、画像データの走査方式として、インターレース走査（飛び越し走査）方式とプログレッシブ走査（順次走査）方式が存在する。
【０００３】
インターレース走査方式とは、画像データ走査を走査線の奇数ラインにおいて行うフィールドと、偶数ラインにおいて行うフィールドとを交互に繰り返す走査方式である。一方、プログレッシブ走査方式は、走査線を飛び越さず、全走査線において画像データの走査を行う走査方式である。従って、インターレース走査方式の場合、１フレームの表示が１ラインおきになるため、フリッカーノイズが出やすいという問題点があるが、プログレッシブ走査方式に比べて１フィールド内で走査するライン数が１／２となり、水平同期周波数を低く抑えることができるという利点があるため、テレビ等においてはこのインターレース走査方式が多く採用されてきた。
【０００４】
しかしながら、近年、高解像度のディスプレイにおいては、ちらつきのあるインターレース走査方式ではなく、プログレッシブ走査方式を採用しているものがある。このようなディスプレイ上に、インターレース信号であるカラーテレビジョン信号方式の一つであるＮＴＳＣ（National Television System Committee）方式に基づく画像情報を表示するためには、インターレース走査信号からプログレッシブ走査信号への変換（以下、適宜「Ｉ／Ｐ変換」と略記する）が必要となる。
【０００５】
従来、このようなＩ／Ｐ変換を行うための信号変換方法の一例として、インターレース走査信号から構成される２フィールド分の画素データをフィールドメモリに書き込み、２つの連続したフィールド間の相関を利用して奇数ラインと偶数ラインの補間を行う方法（以下、「従来方法１」と記載）がある。
【０００６】
具体的には、例えば、奇数フィールド及び偶数フィールドの画素データをそれぞれ別々のフィールドメモリに書き込み、各々２倍のライン数に拡大し、各ラインの画素データを１／２ずつ加算することによって奇数ラインと偶数ラインの補間データを生成する方法が下記特許文献１に開示されている。
【０００７】
また、Ｉ／Ｐ変換を行うための信号変換方法の別の一例としては、インターレース走査信号から構成される同一フィールド内の２ライン分の画素データをラインメモリに書き込み、２つのラインの相関を利用して、奇数ラインから偶数ラインの補間画素データを、偶数ラインから奇数ラインの補間画素データを生成する方法がある。
【０００８】
具体的には、例えば、ラインメモリに書き込まれた第１走査線の画素データと、その１水平同期期間前の第２走査線の画素データとに基づいて、２ライン間の補間画素データをその上下方向にある第１走査線と第２走査線の画素データの平均値とする方法（以下、「従来方法２」と記載）や、２ライン間の補間画素データを中心として点対称にある第１走査線と第２走査線の画素データの重み付け差分値が最小となる組み合わせを選択し、その第１走査線と第２走査線の画素データの平均値を補間画素データとする方法（以下、「従来方法３」と記載）がある。下記特許文献２には、従来方法３に基づく信号変換方法が開示されている。
【０００９】
図６は、上記従来方法２に基づいて画像変換を行う場合の変換方法の模式図である。
【００１０】
図６に示されるように、補間画素データ５３ｘ（ｘ＝ａ，ｂ，ｃ，ｄ，ｅ：以下同様）は、第１走査線の画素データ５１ｘと第２走査線の画素データ５２ｘとの平均値により生成される。例えば、補間画素データ５３ａは（画素データ５１ａ＋画素データ５２ａ）／２と計算される。
【００１１】
また、図７は、上記従来方法３に基づいて画像変換を行う場合の変換方法の模式図である。
【００１２】
具体的には、補間画素データ６３ｃを挟む上下の走査線上において、当該補間画素データ６３を中心に点対称の位置関係にある画素データの組み合わせを選択し（画素６２ａと６１ｅ、６２ｂと６１ｄ、・・・）、これらの差分値を算出する。なお、説明の都合上、差分値を算出する対象となる画素データの組み合わせとしては、補間画素データに近接する５組の画素データ群とする。
【００１３】
次に、各組み合わせ毎に算出された差分値に、予め定められた閾値を加算する。この閾値は、補間画素データの画素列から遠い画素データの組み合わせになるほどその値が大きくなり、補間画素データの画素列に近い画素データの組み合わせになるほどその値が小さくなるよう、予め重み付けを有した状態で定められている。すなわち、図７では、画素データ６２ａと６１ｅの組み合わせ、及び画素データ６２ｅと６１ａの組み合わせにおける閾値が最も大きく、逆に、画素データ６２ｃと６１ｃの組み合わせにおける閾値が最も小さくなるように設定されている。
【００１４】
このようにして閾値が加算された各差分値の中から最小値を示す画素データの組み合わせを選択し、選択された画素データの平均値によって補間画素データ６３ｃの値を決定するというものである。
【００１５】
【特許文献１】特開２００４−１４７２８５号公報
【特許文献２】特開２００６−１４８８２７号公報
【発明の開示】
【発明が解決しようとする課題】
【００１６】
上述した各従来方法１〜３によれば、インターレース走査信号からプログレッシブ走査信号への変換を行うことができる。
【００１７】
しかし、上記従来方法１による場合には、複数のフィールドメモリが必要となるため、回路規模や消費電力が大きくなるという問題点がある。
【００１８】
また、従来方法２による場合には、単に上下方向にある第１走査線と第２走査線の画素データの平均値を算出することで補間画素データを算出する方法であるため、斜め方向にエッジを有する画像においては滑らかな補間画像が得られないという問題点がある。
【００１９】
更に、従来方法３による場合には、予め重み付けを有した状態で定めている閾値の設定値によっては、誤判定される可能性があり、このときに得られた補間画素データに基づいて得られるプログレッシブ走査信号によって画面上に表示させた場合に当該画面上にノイズが発生する可能性がある。
【００２０】
本発明は、上記の問題点に鑑み、回路規模や消費電力を抑制しつつも、滑らかな補間画像を得ることのできる信号変換装置及びその信号変換方法を提供することを目的とする。
【課題を解決するための手段】
【００２１】
上記目的を達成するための本発明に係る信号変換装置は、インターレース走査信号方式の映像信号から走査線補間により補間画素データを生成してプログレッシブ走査信号方式の映像信号に変換する信号変換装置であって、第１走査線上の画素データを格納する第１ラインメモリと、前記第１走査線の１水平同期期間前の第２走査線上の画素データを格納する第２ラインメモリと、前記第１走査線上及び前記第２走査線上の同一列に位置する画素データの差分値が第１閾値以上か否かを判定するライン間差分検出手段と、前記第１走査線内及び前記第２走査線内のそれぞれについて、隣接画素データの差分値が第２閾値以上か否かを判定するライン内差分検出手段と、前記ライン間差分検出手段及び前記ライン内差分検出手段の判定結果に基づいて画素毎に補間方法を決定する補間処理決定手段と、前記第１ラインメモリ及び前記第２ラインメモリに格納された画素データを読み出すとともに、前記補間処理決定手段によって決定された補間方法に基づいて補間画素データを生成する補間画素データ生成手段と、を備え、前記補間処理決定手段が、補間方法決定対象となる補間ライン上の対象補間画素と同一列位置において、前記ライン間差分検出手段の判定結果が前記第１閾値以上であれば、前記ライン内差分検出手段の判定結果に基づいて当該同一列位置における画素と前後いずれかに隣接する隣接画素の画素データの差分値が前記第２閾値以上を示している走査線を前記第１及び第２走査線内から検索するとともに、検索された場合には当該走査線を第１特定走査線と特定し、さらに他方の走査線である第２特定走査線上において、当該同一列位置から走査方向に向かって前記ライン内差分検出手段の判定結果が前記第２閾値以上を示している画素を特定画素と特定し、前記補間ライン上において、前記対象補間画素と、前記特定画素と同一列位置における画素の中間位置において、隣接画素との画素データの差分値が前記第２閾値以上となるように補間方法を決定することを第１の特徴とする。
【００２２】
本発明に係る信号変換装置の上記第１の特徴構成によれば、連続する２つの走査線上の画素データを格納し、同一走査線内の隣接画素間、並びに同一列に位置する両走査線上の画素間の画素データの差分値を測定して、所定の閾値との大小関係を比較することのみで、補間ライン上において画素毎に補間方法を決定することができる。従って、単純な四則演算を行うのみで補間データが算出されるので、複雑な制御は不要であり単純な回路で実現することができる。さらに、従来方法３のように、複数の重み付けを定める必要がないため、重み付けの設定如何によって補間後の画素データにノイズが発生するという懸念がなく、また、少なくとも第１走査線及び第２走査線上の各画素データを格納するラインメモリが存在すれば足り、フィールド単位で画素データを記憶するためのフィールドメモリを複数必要とする従来方法１と比較して、必要なメモリ数を大きく削減することができ、これによって回路規模や消費電力の削減が図られる。
【００２３】
また、同一列に位置する両走査線上の画素間の画素データの差分値が所定の第１閾値以上である場合において、いずれか一方の走査線（第１特定走査線）上で画素データが大きな変化（第２閾値以上の変化）を示している場合には、当該変化位置と同一列位置において、他方の走査線（第２特定走査線）上では画素データの値が大きな変化を示していないことを示唆している。このことは、仮に、走査方向を横方向とすれば縦方向に画像データが変化しているのではなく、一定の角度を有して斜め方向に画像データが変化していることを表していることとなる。
【００２４】
すなわち、第２特定走査線上においても、第１特定走査線上で大きな変化を示した位置と同一列位置ではないが、第１特定走査線上と同様に大きな変化を示す画素位置が存在することが示唆される。
【００２５】
そこで、ライン内差分検出手段によって、第２特定走査線上において、変化位置よりも後の画素位置において、差分値が第２閾値以上を示している箇所を検索し、補間ライン上において、当該特定された箇所と同一列にある画素と、前記対象補間画素の中間位置において、隣接画素との画素データの差分値が前記第２閾値以上となるように補間方法を決定する。これにより、一定の角度を有して斜め方向に画像データが変化している場合であっても、ノイズを有することなく滑らかに補間処理を施すことができる。
【００２６】
また、本発明に係る信号変換装置は、上記第１の特徴構成に加えて、前記補間処理決定手段が、前記補間ライン上において、前記対象補間画素から前記中間位置よりも前に位置する画素までについては、前記第２特定走査線上の同一列位置における画素に係る画素データの値を採用し、前記中間位置から前記特定画素と同一列位置までに位置する画素については、前記第１特定走査線上の同一列位置における画素に係る画素データの値を採用することで補間処理を行う決定をすることを第２の特徴とする。
【００２７】
本発明に係る信号変換装置の上記第２の特徴構成によれば、補間ライン上において中間位置を境として、第２閾値以上の画素データの値の変化を生じさせることができるとともに、他の画素データについては、同一列位置に係る特定の一の走査線上の画素データの値を採用するのみで良いため、簡易な補間処理によって、滑らかな画像データを実現することができる。
【００２８】
また、本発明に係る信号変換装置は、上記第１または第２の特徴構成に加えて、前記補間処理決定手段が、補間方法決定対象となる補間ライン上の対象補間画素と同一列位置において、前記ライン間差分検出手段の判定結果が前記第１閾値未満であれば、前記対象補間画素の画素データとして、前記対象補間画素と同一列位置における前記第１走査線上並びに前記第２走査線上の画素データの平均値を採用する補間処理を行う決定をすることを第３の特徴とする。
【００２９】
また、本発明に係る信号変換装置は、上記第１〜第３のいずれか一の特徴構成に加えて、前記第１ラインメモリが、インターレース走査信号で構成される画素データが順次入力され、前記第２ラインメモリが、前記第１ラインメモリにおいて１走査線分の画素データが格納されると、前記第１ラインメモリから当該画素データが順次入力される構成であることを第４の特徴とする。
【００３０】
また、本発明に係る信号変換装置は、上記第１〜第４のいずれか一の特徴構成に加えて、前記補間画像データ生成手段によって生成された補間画素データを格納する第３ラインメモリと、前記第２ラインメモリから前記第２走査線上の画素データを、前記第３ラインメモリから前記補間画素データを、それぞれ１走査線分ずつ交互に読み出して出力する出力手段と、を備えることを第５の特徴とする。
【００３１】
また、本発明に係る信号変換方法は、インターレース走査信号方式の映像信号から走査線補間により補間画素データを生成してプログレッシブ走査信号方式の映像信号に変換する信号変換方法であって、第１走査線上の画素データ及び、前記第１走査線の１水平同期期間前の第２走査線上の画素データを格納する第１ステップと、前記第１走査線上及び前記第２走査線上の同一列に位置する画素データの差分値が第１閾値以上か否かを判定する第２ステップと、前記第１走査線内及び前記第２走査線内のそれぞれについて、隣接画素データの差分値が第２閾値以上か否かを判定する第３ステップと、前記ライン間差分検出手段及び前記ライン内差分検出手段の判定結果に基づいて画素毎に補間方法を決定する第４ステップと、格納された前記第１走査線上並びに前記第２走査線上の画素データを読み出すとともに、前記第４ステップによって決定された補間方法に基づいて補間画素データを生成する第５ステップと、を有し、前記第４ステップが、補間方法決定対象となる補間ライン上の対象補間画素と同一列位置において、前記第２ステップの判定結果が前記第１閾値以上であれば、前記第３ステップの判定結果に基づいて当該同一列位置における画素と前後いずれかに隣接する隣接画素の画素データの差分値が前記第２閾値以上を示している一方の走査線を前記第１及び第２走査線内から検索するとともに、検索された場合には当該走査線を第１特定走査線と特定し、さらに他方の走査線である第２特定走査線上において、当該同一列位置から走査方向に向かって前記第３ステップの判定結果が前記第２閾値以上を示している画素を特定画素と特定し、前記補間ライン上において、前記対象補間画素と、前記特定画素と同一列位置における画素の中間位置において、隣接画素との画素データの差分値が前記第２閾値以上となるように補間方法を決定することを特徴とする。
【発明の効果】
【００３２】
本発明の構成によれば、回路規模や消費電力を抑制しながら、簡易な構成によって滑らかな補間画像を得ることができる。
【発明を実施するための最良の形態】
【００３３】
［第１実施形態］
以下において、本発明に係る信号変換装置（以下、適宜「本発明装置」と称する）及び信号変換方法（以下、適宜「本発明方法」と称する）の第１実施形態について図１〜図３の各図を参照して説明する。
【００３４】
図１は、本発明装置の概略構成を示すブロック図である。図１に示されるように、本発明装置１は、インターレース走査信号ｓｉが入力されると、所定の演算を行った後、プログレッシブ信号ｓｐが出力される構成である。そして、本発明装置１は、ラインメモリ２ａ、２ｂ、３、ライン間差分検出手段４、ライン内差分検出手段５ａ、５ｂ、補間処理決定手段６、補間画素データ生成手段７、及び出力手段８を備えて構成される。
【００３５】
ラインメモリ２ａ、２ｂは、本発明装置１の外部から与えられるインターレース走査信号ｓｉから構成される１フィールド内の連続した２つのラインの画素データを格納する。具体的には、ラインメモリ２ａは、インターレース走査信号ｓｉから構成されるある走査線（以下、「第１走査線」と記載）の画素データを格納し、ラインメモリ２ｂは、既にラインメモリ２ａに格納されていた第１走査線の１水平同期期間前の走査線（以下、「第２走査線」と記載）の画素データをラインメモリ２ａから与えられて格納する。
【００３６】
ライン間差分検出手段４は、前記第１走査線上及び前記第２走査線上の同一列に位置する画素データの差分値が所定の閾値（以下、「第１閾値」と記載）以上か否かを判定し、判定結果を補間処理決定手段６に出力する。
【００３７】
また、ライン内差分検出手段５ａ、５ｂは、前記第１走査線、前記第２走査線内において、前後いずれか一方に隣接する隣接画素データの差分値が所定の閾値（以下、「第２閾値」と記載）以上か否かを判定し、判定結果を補間処理決定手段６に出力する。なお、以下の実施形態では、一画素前の隣接画素との画素データの差分値を第２閾値と比較して、その結果を出力するものとして説明するが、一画素後の隣接画素との間で差分値を算出して第２閾値と比較する構成であっても良い。
【００３８】
補間処理決定手段６は、ライン間差分検出手段４、及びライン内差分検出手段５ａ、５ｂから与えられる各判定結果に基づいて補間処理方法を決定し、当該決定された補間処理方法を補間画素データ生成手段７に出力する。
【００３９】
補間画素データ生成手段７は、ラインメモリ２ａから第１走査線上の画素データを、ラインメモリ２ｂから第２走査線上の画素データをそれぞれ読み出すとともに、これらの画素データを用いて補間処理方法判定手段６から与えられた補間処理方法に基づいて補間画素データを生成し、生成された補間画素データをラインメモリ３に格納する。
【００４０】
出力手段８は、ラインメモリ２ｂから第２走査線上の画素データを読み出して出力した後、ラインメモリ３から補間画素データを読み出して出力する。以下、同様に、ラインメモリ２ｂに格納された１走査線分の画素データとラインメモリ３に格納された１走査線分の画素データを交互に読み出して出力する。これによって出力手段８からプログレッシブ走査信号ｓｐが生成される。
【００４１】
なお、ライン間差分検出手段４、ライン内差分検出手段５ａ、５ｂ、補間処理決定手段６、補間画素データ生成手段７は、アナログ回路、ディジタル回路等により上記演算処理が実現可能に構成されたハードウェア手段、または所定のハードウェア手段上で上記演算処理が実現可能に構成されたソフトウェア手段であるとして良い。
【００４２】
以下、本発明装置１の信号変換方法につき、数値例（いずれも１０進数表記）を用いて具体的に説明する。図２及び図３は、本発明装置による信号変換方法を説明するための画素データ構成図である。
【００４３】
図２（ａ）に示されるように、本発明装置１に対して、画素１１ａ、１１ｂ、・・・で構成される第１走査線１１がインターレース走査信号ｓｉとして入力されたとする。なお、第２走査線１２は、上述したように、第１走査線１１に対して１水平同期期間前の走査線に相当し、第１走査線１１が入力される前段階においてラインメモリ２ａに第２走査線１２を構成する各画素（１２ａ、１２ｂ、・・・）のデータが格納されている。また、以下では、第１走査線１１を構成する各画素を「画素１１ｘ」と、第２走査線１２を構成する各画素を「画素１２ｘ」と、それぞれ総称する。
【００４４】
上述したように、全ての画素１１ｘの各データがラインメモリ２ａに格納されると、既にラインメモリ２ａに格納されていた画素１２ｘの各データはラインメモリ２ｂに格納される。
【００４５】
ライン間差分検出手段４は、ラインメモリ２ａに格納された画素１１ｘの各データと、ラインメモリ２ｂに格納された画素１２ｘの各データで、同一列位置の関係にある２つの画素（例えば、画素１１ａと１２ａ、１１ｂと１２ｂ等）のデータの差分値を算出するとともに、その差分値が前記第１閾値を以上か否かを判定し、当該判定結果を補間処理決定手段に与える。なお、図面内において各画素を示す枠内に記載された数字は、画素データの値を示すものとする。
【００４６】
例えば、画素１１ａと１２ａのデータの差分値を算出すると、「２」である。ここで、第１閾値が仮に５０と設定されているとすれば、画素１１ａと１２ａのデータの差分値は第１閾値未満である。この場合は、画素１１ａと１２ａのデータの差分値は第１閾値未満である旨を補間処理決定手段６に出力する。同様に、画素１１ｂと１２ｂのデータの差分値についても第１閾値未満である旨を補間処理決定手段６に出力する。
【００４７】
一方、画素１１ｃと１２ｃのデータの差分値を算出すると、「１００」であり、この値は第１閾値以上である。この場合は、画素１１ｃと１２ｃのデータの差分値が第１閾値以上である旨を補間処理決定手段６に出力する。同様に、画素１１ｄと１２ｄのデータの差分値についても第１閾値以上である旨を補間処理決定手段６に出力する。
【００４８】
このように、ライン間差分検出手段４は、第１走査線上及び第２走査線上における同一列位置の関係にある２画素のデータの差分値が第１閾値以上か否かの判定を走査順に順次行い、その結果を補間処理決定手段６に与える。
【００４９】
また、ライン内差分検出手段５ａは、ラインメモリ２ａに格納されている画素１１ｘから、隣接する２画素に係るデータを走査順に順次選択し（例えば画素１１ａと１１ｂのデータ等）、その差分値を算出するとともに、当該差分値が前記第２閾値以上か否かを判定する。同様に、ライン内差分検出手段５ｂは、ラインメモリ２ｂに格納されている画素１２ｘからに隣接する２画素に係るデータを走査順に順次選択し（例えば画素データ１２ａと１２ｂのデータ等）、その差分値を算出するとともに、当該差分値が前記第２閾値以上か否かを判定する。
【００５０】
例えば、画素データ１１ａと１１ｂの差分値を算出すると、「０」である。ここで、第２閾値が仮に５０と設定されているとすれば、画素１１ａと１１ｂのデータの差分値は第２閾値未満である。この場合、ライン内差分検出手段５ａは、画素１１ａと１１ｂのデータの差分値が第２閾値未満である旨を補間処理決定手段６に出力する。同様に、画素１１ｂと１１ｃ、１１ｃと１１ｄの各組み合わせについてもそれぞれのデータの差分値が第２閾値未満である旨を補間処理決定手段６に出力する。
【００５１】
一方、画素１１ｄと１１ｅのデータの差分値を算出すると、「１００」であり、この値は第２閾値以上である。この場合は、画素１１ｄと１１ｅのデータの差分値が第２閾値以上である旨を補間処理決定手段６に出力する。ライン内差分検出手段５ｂは、画素１２ｘを構成する隣接する２画素に係るデータについての判定結果を同様に補間処理決定手段６に出力する。
【００５２】
補間処理決定手段６は、ライン間差分検出手段４、ライン内差分検出手段５ａ、５ｂから送られる各判定結果に基づいて、以下の方法により補間処理方法を決定する。
【００５３】
なお、補間処理決定手段６は、補間画素群を構成する補間ライン１３上において、各補間画素毎に走査方向と同一方向に順次補間処理方法を決定し、補間画素データ生成手段７に出力する。そして、補間画素データ生成手段７は、ラインメモリ２ａ、２ｂから画素１１ｘの各データ、画素１２ｘの各データをそれぞれ読み出すとともに、補間処理決定手段６によって決定された補間処理方法に基づいて演算が施されて、補間ライン１３上の一補間画素のデータを決定する。補間画素データ生成手段７は、同様の手順により、補間ライン上の各補間画素につき、走査方向と同一方向に順次補間画素のデータを算出する。そして、このように算出された補間ライン１３上の全補間画素のデータの値がラインメモリ３に格納される。
【００５４】
補間処理決定手段６は、まず、補間処理方法決定対象となる対象補間画素と同一列に係るライン間差分検出手段４の判定結果を確認する（ステップ＃１）。そして、ライン間差分検出手段４の判定結果が第１閾値未満である場合（ステップ＃１において「Ｙｅｓ」）には、第１走査線１１及び第２走査線１２上における当該対象補間画素と同一列に位置する画素のデータの平均値を算出することで補間処理を行う旨を決定する（ステップ＃２）。
【００５５】
例えば、対象補間画素が１３ａである場合（図２（ｂ）参照）、画素１１ａと１２ａのデータの差分値は「２」であって第１閾値未満であるため、補間画素データ生成手段７によって補間画素１３ａのデータの値は「１」と決定される。同様の方法により、補間画素１３ｂのデータについても「１」と決定される。
【００５６】
一方、ライン間差分検出手段４の判定結果が第１閾値以上である場合（ステップ＃１において「Ｎｏ」）には、ライン間差分検出手段４の判定結果が第１閾値未満を示す画素データの組み合わせが存在する画素位置を走査方向と同一方向に順次検索する（ステップ＃３）。
【００５７】
例えば、対象補間画素が１３ｃである場合（図２（ｃ）参照）、画素１１ｃと１２ｃのデータの差分値は「１００」であって第１閾値以上である。このとき、図面上右側に位置する１画素後の対象補間画素１３ｄの同一列画素位置に係る画素１１ｄと１２ｄのデータ差分値と第１閾値の大小関係を見ると、やはり差分値が「１００」であって第１閾値以上である。さらに１画素後の対象補間画素１３ｅの同一列画素位置に係る画素１１ｅと１２ｅのデータ差分値と第１閾値の大小関係を見ると、差分値が「０」であり第１閾値未満の値を示している。従って、ライン内差分検出手段５ａ及び５ｂの判定結果を確認することで、ライン間差分検出手段４の判定結果が第１閾値未満を示す画素データの組み合わせが存在する画素位置は、画素１１ｅと１２ｅであり、その画素位置と同一列の補間画素は１３ｅであることが分かる。
【００５８】
このような場合に、補間画素１３ｃ、及び補間画素１３ｅの一画素前に係る補間画素１３ｄについて、ステップ＃２に係る方法と同様の補間処理を行うと、当該箇所においてノイズが発生する可能性がある。すなわち、上記処理によって、ステップ＃２に係る方法を用いて補間処理を行わず、補間方法を確定するためにさらにステップを経る必要がある補間画素（以下、適宜「対象補間画素」と記載）が特定される（ステップ＃４）。上記例の場合、対象補間画素として、補間画素１３ｃ及び１３ｄが特定される。これらの対象補間画素は、さらに以下のステップ（＃５〜＃９）を経た後に補間方法が決定されることとなる。
【００５９】
まず、対象補間画素のうち、一画素前の補間画素に係る補間処理方法がステップ＃２によって既に決定されている補間画素を選択する（ステップ＃５）。図２の例では、一画素前の補間画素１３ｂの補間データ算出方法として、ステップ＃２による方法を採用することが既に決定されているため、ステップ＃５では補間画素１３ｂの一画素後となる補間画素１３ｃがまず選択される。
【００６０】
次に、ライン内差分検出手段５ａ及び５ｂの判定結果を確認することで、ステップ＃４で選択された補間画素と同一列位置にある両走査線上の画素データのうち、その一画素前の画素データからの変化量が第２閾値以上である走査線（以下、適宜「第１特定走査線」と記載）を検索する（ステップ＃６）。
【００６１】
第１走査線１１上の補間画素１３ｃと同一列位置にある画素１１ｃとその一画素前の画素１１ｂの画素データの差分値は２であり、第２閾値未満である。一方、第２走査線１２上の対象補間画素１３ｃと同一列位置にある画素１２ｃとその一画素前の画素１２ｂの画素データの差分値は１００であり、第２閾値以上である。すなわち、ライン内差分検出手段５ａ、５ｂの判定結果を確認することで、補間画素１３ｃと同一列位置画素のデータと、その一画素前の画素データの差分値が第２閾値以上であるのは第２走査線１２であることが分かる（図２（ｄ）参照）。すなわち、第１特定走査線は、第２走査線１２であることが分かる。
【００６２】
次に、ステップ＃５で選択された補間画素の補間データとして、ステップ＃６で選択されなかった走査線（以下、適宜「第２特定走査線」と記載）上における、当該補間画素と同一列位置に係る画素データを採用することで補間処理を行うことを決定する（ステップ＃７）。
【００６３】
図２（ｄ）によれば、補間画素データ生成手段７によって、補間画素１３ｃのデータはステップ＃６で選択されなかった走査線（第２特定走査線）、すなわち第１走査線１１上の当該補間画素１３ｃと同一列位置の画素１１ｃの画素データと同一の「０」と決定される（図３（ａ）参照）。
【００６４】
次に、第２特定走査線についての隣接画素データの差分値と第２閾値の大小関係の比較を行ったライン内差分検出手段（５ａまたは５ｂ）の結果を、補間画素と同一列位置の画素から走査方向と同一方向に順次確認して、一画素前の画素のデータの差分値が第２閾値以上である画素を特定し（以下、適宜「特定画素」と記載）、補間ライン上における当該特定画素と同一列の補間画素を特定する（ステップ＃８）。
【００６５】
図３（ａ）によれば、第２特定走査線、すなわち第１走査線１１において、補間画素１３ｃと同一列位置における画素（すなわち画素１１ｃ）から走査方向と同一方向に検索すると、画素１１ｅとその一画素前の画素１１ｄのデータの差分値が、第２閾値以上であることが分かる。すなわち、特定画素として画素１１ｅが特定される。従って、補間ライン上において特定画素１１ｅと同一列に係る画素として、補間画素１３ｅが特定される（図３（ｂ）参照）。
【００６６】
上記ステップ＃５〜ステップ＃８によって、第１走査線１１及び第２走査線１２それぞれにおいて、隣接画素データとの差分値が第２閾値以上を示す変化位置が特定されることとなる。
【００６７】
次に、補間ライン上においてステップ＃８で特定された補間画素の一画素前の補間画素の補間データとして、ステップ＃６で選択された第１特定走査線上の同一列の画素におけるデータを採用することで補間処理を行うことを決定する（ステップ＃９）。
【００６８】
図３（ｂ）によれば、補間画素データ生成手段７によって、ステップ＃８で特定された補間画素１３ｅの一画素前の補間画素１３ｄのデータが、ステップ＃６で選択された第１特定走査線、すなわち第２走査線１２上における当該補間画素１３ｄと同一列の画素１２ｄの画素データと同一の「１００」と決定される（図３（ｃ）参照）。
【００６９】
なお、補間画素１３ｅについては、上述したように、ステップ＃１で「Ｙｅｓ」となるため、ステップ＃２に従って、当該補間画素１３ｅと同一列に係る両走査線上の画素１１ｅ、１２ｅのデータの平均値が採用され、「１００」と決定される（図３（ｄ）参照）。
【００７０】
上記ステップ＃１〜＃９に従って補間ライン上の補間画素の画素データを算出方法が決定される。そして、上述したように、補間画素データ生成手段７が、このように決定された補間方法に基づいて補間ライン上の各補間画素の補間データを算出し、ラインメモリ３に格納する。そして、出力手段８が、ラインメモリ２ｂから第２走査線１２上の画素データを、ラインメモリ３から補間ライン１３上の補間画素データを、それぞれ１走査線分毎に交互に読み出して出力することにより、プログレッシブ走査信号ｓｐが出力される。
【００７１】
上記ステップ＃１において、ライン間差分検出手段４の判定結果が第１閾値以上である（ステップ＃１において「Ｎｏ」）と判断されたことは、第１走査線１１または第２走査線１２のいずれか一方の走査線上で画素データが大きな変化を示している当該変化位置と同一列において、他方の走査線上では画素データが大きな変化を示していないことを示唆している。このことは、仮に、走査方向を横方向とすれば縦方向に画像データが変化しているのではなく、一定の角度を有して斜め方向に画像データが変化していることを表していることとなる。
【００７２】
従って、第１走査線１１及び第２走査線１２それぞれにおいて画素データが大きく変化する変化位置が特定できれば、それぞれの変化位置を結ぶ線に沿って全体の画像データが大きく変化していると捉えることが可能となる。すなわち、第１走査線１１と第２走査線１２の間を補間する補間ライン１３上では、前記各変化位置を結ぶ線と交差する位置において大きく変化させることができれば、斜めの角度を有した画像データであっても、補間後の画像データのエッジ（輪郭線）を明確にすることができ、ノイズの発生が抑制される。
【００７３】
ここで、走査方向と直交する方向について見れば、補間ライン１３は、第１走査線１１と第２走査線１２の中間位置を構成する。従って、補間ライン１３上において、第１走査線１１及び第２走査線１２それぞれにおいて画素データが大きく変化する変化位置を結ぶ線と交差する位置とは、前記各変化位置の中間位置に相当する。従って、補間ライン１３上において、第１走査線１１の変化位置の列と第２走査線１２の変化位置の列との中間位置における隣接２画素間で、第２閾値以上の変化を示すように補間処理を行うことで、補間後の画像データのエッジを明確にすることができる。
【００７４】
そして、上記方法に従って補間処理を行う場合、一の走査線と、その１水平同期期間前の他の走査線で予め定められた閾値（第２閾値）以上の変化が生じていれば、補間ライン上では、それぞれの変化位置の中間の位置で隣接する２画素が前記第２閾値以上の変化を有するように補間処理を行うことができる。
【００７５】
すなわち、図２（ａ）を参照すれば、第１走査線１１上においては、画素１１ｄと１１ｅの間で第２閾値以上の変化が発生し、第２走査線１２上においては、画素１２ｂと１２ｃの間で第２閾値以上の変化が発生している。そして、図３（ｄ）を参照すれば、補間処理後の補間ライン１３上では、補間画素１３ｃと１３ｄの間で第２閾値以上の変化が発生することとなる。従って、かかる補間処理によって、斜め方向にエッジを有する画像であっても、斜め方向の変化点を誤判定することなく補間画像を生成することができる。
【００７６】
そして、同一列の画素における、１水平同期期間前の他の走査線との画素データの差分、並びに、各走査線内の隣接画素との画素データの差分を計算するとともに、当該計算結果に基づいて、補間ラインを挟むいずれかの走査線上の画素データを採用するか、または補間ラインを挟む両走査線上の画素データに基づいて単純な四則演算を行うのみで補間データが算出されるので、複雑な制御は不要であり単純な回路で実現することができる。さらに、従来方法３のように、複数の重み付けを定める必要がないため、重み付けの設定如何によって補間後の画素データにノイズが発生するという懸念がない。
【００７７】
さらに、本発明装置１によれば、少なくとも第１走査線及び第２走査線上の各画素データを格納するラインメモリが存在すれば足り、フィールド単位で画素データを記憶するためのフィールドメモリを複数必要とする従来方法１と比較して、必要なメモリ数を大きく削減することができ、これによって回路規模や消費電力の削減が図られる。
【００７８】
［第２実施形態］
以下において、本発明装置及び本発明方法の第２実施形態（以下、適宜「本実施形態」と称する）について図４及び図５を参照して説明する。なお、本発明装置の構成については第１実施形態と同一であるため、その説明を割愛する。
【００７９】
第１実施形態における実施例（図２及び図３）では、補間ライン１３上において、ステップ＃４で選択された補間画素と、ステップ＃７で特定された補間画素の一画素前に係る補間画素とが隣接する関係にあった。しかし、場合によっては、これらの補間画素が隣接しない可能性がある。このような場合における補間方法の一例につき、以下図４及び図５を参照して説明する。
【００８０】
図４及び図５は、本発明装置による信号変換方法の別の例を説明するための画素データ構成図である。図４では、混同を避けるべく、図２及び図３とは異なる符号を付している。
【００８１】
図４（ａ）を参照すれば、上記ステップ＃１及び＃２によって、補間画素２３ａ及び２３ｂの補間処理方法は、全て第１走査線２１及び第２走査線２２上における同一列の画素データの値の平均値を算出することで決定される。そして、補間画素２３ｃの補間処理方法については、ステップ＃１で「Ｎｏ」となるため、ステップ２に係る方法（平均値算出）を採用せず、ステップ＃３以後のステップへ移行する。
【００８２】
このとき、ステップ＃３によって、ライン間差分検出手段４の判定結果が第１閾値未満を示す画素データの組み合わせが存在する画素位置が画素２１ｇと２２ｇであり、その画素と同一列の補間画素が２３ｇであることが分かる（図４（ｂ）参照）。従って、ステップ＃４によって、ステップ＃５以下のステップに進む補間画素として補間画素２３ｃ〜２３ｆの４画素が特定される。
【００８３】
次に、ステップ＃５によって、前記４補間画素から、一画素前の補間画素に係る補間処理方法がステップ＃２によって既に決定されている補間画素として補間画素２３ｃが選択される。
【００８４】
次に、ステップ＃６によって、補間画素２３ｃと同一列にある両走査線上の画素データのうち、その一画素前の画素データからの変化量が第２閾値以上である走査線、すなわち第１特定走査線が第２走査線２２であることが確認される。そして、ステップ＃７によって、補間画素２３ｃの補間データとして、ステップ＃６で選択されなかった走査線（第２特定走査線）、すなわち第１走査線２１上の同一列位置に係る画素２１ｃの画素データの値を採用することで補間処理を行うことが決定される（図４（ｃ）参照）。
【００８５】
次に、ステップ＃８によって、第１走査線２１上において、補間画素２３ｄと同一列の画素（すなわち画素２１ｄ）から走査方向と同一方向に順次確認して、一画素前の画素のデータの差分値が第２閾値以上である画素位置として画素２１ｇを特定し（特定画素）、補間ライン２３上におけるこの特定画素２１ｇと同一列の補間画素２３ｇを特定する。
【００８６】
次に、ステップ＃９によって、ステップ＃８で特定される補間画素２３ｇの一画素前の補間画素２３ｆの補間データとして、ステップ＃６で選択された第１特定走査線、すなわち第２走査線２２上の同一列の画素２２ｆの画素データの値を採用することで補間処理を行うことが決定される（図４（ｄ）参照）。
【００８７】
このとき、ステップ＃１〜＃８の各ステップを経ても補間画素２３ｄ及び２３ｅの補間処理方法を決定することができない（図４（ｄ）参照）。
【００８８】
このように、ステップ＃４で選択された補間画素（２３ｃ）と、ステップ＃８で特定された補間画素の一画素前に係る補間画素（２３ｆ）が隣接しない場合には、これらの間に存在する補間画素については、さらに以下の方法で補間処理を行うものとすることができる。
【００８９】
一例としては、ステップ＃９の後に、ステップ＃１０として、補間処理方法が未決定の補間画素数が偶数個である場合には、その補間画素の中間位置を境界として、その中間位置よりも前に位置する補間画素についてはステップ＃７と同様の処理を行い、中間位置よりも後に位置する補間画素についてはステップ＃９と同様の処理を行う。
【００９０】
具体的には、未決定の補間画素が２３ｄ及び２３ｅと偶数個（２個）であるため、図５（ａ）に示すように、これらの補間画素の中間位置（補間画素２３ｄと２３ｅの境界線）よりも前（図面上左側）に位置する補間画素２３ｄについては、第１走査線２１上の同一列の画素２１ｄの画素データの値を採用し、中間位置よりも後（図面上右側）に位置する補間画素２３ｅについては、第２走査線２２上の同一列の画素２２ｅの画素データの値を採用する。
【００９１】
上記方法による場合でも、第１実施形態と同様、一の走査線と、その１水平同期期間前の他の走査線で予め定められた第２閾値以上の変化が発生した場合に、これらの走査線に挟まれる補間ライン上では、それぞれの変化位置の中間の位置で前記第２閾値以上の変化を有するように補間処理を行うことができる。すなわち、図４及び図５の場合を例に挙げれば、第１走査線２１において第２閾値以上の変化が生じているのは画素２１ｆと２１ｇの間であり、第２走査線２２において第２閾値以上の変化が生じているのは画素２２ｂと２２ｃの間である。そして、このような状態の下で本実施形態に係る方法を用いた場合、補間ライン２３上において画素２３ｄと２３ｅの間で第２閾値以上の変化が生じることとなり、それぞれの変化位置の中間の位置で前記第２閾値以上の変化を有するように補間処理を行うことができる。これにより、斜め方向にエッジを有する画像であっても、斜め方向の変化点を誤判定することなく、簡易な回路構成によって補間後の画像データのエッジを明確にすることができ、ノイズ発生を抑制することができる。
【００９２】
一方、補間処理方法が未決定の補間画素数が奇数個である場合には、上記方法に基づいて補間処理を実行しようとすれば、中間位置から左右いずれか一画素分だけずれることとなる。この場合は、第１走査線２１と第２走査線２２のそれぞれの閾値以上の変化を生じている箇所の差分値の大きい側に一画素分ずらして同様の補間を行うものとしても良い。
【００９３】
例えば、図５（ｂ）に示されるような構成例の場合、第１走査線２１上の画素２１ｇと２１ｈとの差分値よりも、第２走査線２２上の画素２２ｂと２２ｃとの差分値の方が大きい。従って、この場合は、補間ライン２３上において補間画素２３ｄから補間画素２３ｅにかけて閾値以上の変化が生じるように補間を行うものとすることができる。すなわち、補間画素２３ｄについては、第１走査線２１上の同一列位置の画素データの値を採用し、補間画素２３ｅ及び２３ｆについては、第２走査線２２上の同一列における画素データの値を採用する（図５（ｃ）参照）。このように補間処理を行った場合においても、斜め方向にエッジを有する画像であっても、斜め方向の変化点を誤判定することなく、簡易な回路構成によって補間後の画像データのエッジを明確にすることができる。
【００９４】
また、上記の場合において、第１走査線２１と第２走査線２２のそれぞれの第２閾値以上の変化を生じている箇所の差分値が同一の場合には、中間位置から予め定められた何れか一の方向に一画素分ずらして第２閾値以上の変化を生じるように補間処理を行うものとしても良い。
【００９５】
［別実施形態］  
以下、別実施形態につき説明する。
【００９６】
〈１〉  上述した実施形態において、ステップ＃６では、第１特定走査線を検索したが、場合によっては検索した結果第１特定走査線が検出されないことも考えられる。具体的には、第１及び第２走査線上において、それぞれなだらかに画素データの値が変化した結果、ある画素列において、第１走査線上の画素データと第２走査線上の画素データとの差分値が第１閾値以上になる場合が該当する。
【００９７】
かかる場合には、例えばステップ＃２と同様に、対象補間画素と同一列に位置する画素のデータの平均値を算出することで補間処理を行うことを決定しても良い。なぜなら、前記の通り、ステップ＃６において第１特定走査線が検出されなかったということは、両走査線上においてそれぞれなだらかに画素データの値が変化していることが想定されるため、同一列に位置する画素のデータの平均値を算出して補間処理を行っても当該箇所において視覚ノイズが発生するということが起こらないためである。
【００９８】
また、上記の場合には、ステップ＃２と同様に平均値を算出する方法に限られるものではなく、従来一般的に用いられているその他の補間処理方法を用いるものとしても構わない。
【００９９】
〈２〉  上記ステップ＃２では、対象補間画素と同一列に位置する画素のデータの平均値を算出することで補間処理を行うこととしたが、従来一般的に用いられているその他の補間処理方法を用いても構わない。しかし、簡易な処理でノイズの少ない画像を生成できるという点を鑑みれば、平均値算出による補間処理を行うステップ＃２に記載の方法を採用するのが好ましい。
【０１００】
〈３〉  上述の各実施形態において、ライン間差分検出手段４の判定基準となる値を「
第１閾値」、ライン内差分検出手段５ａ、５ｂの判定基準となる値を「第２閾値」と記載したが、これらの値は異なる値であっても同一の値であっても構わない。
【０１０１】
〈４〉  上述の各実施形態では、ライン内差分検出手段５ａ、５ｂがそれぞれ第１走査線１１、第２走査線１２上における全ての隣接２画素について、順次画素データの差分値と第２閾値の比較を行って補間処理決定手段６にその結果を出力する構成であるとしたが、ライン間差分検出手段４の判定結果が第１閾値以上（ステップ＃１で「Ｎｏ」）であった場合にのみ、ライン内差分検出手段５ａ、５ｂがステップ＃３〜＃８実行に際して必要な箇所における差分値の判定のみを都度実行する構成であるとしても構わない。
【０１０２】
〈５〉  画像データの値の変化パターンが走査方向と同一方向に発生している場合、ステップ＃３において、走査線上の最終列まで検索した時点でも、なお検索ライン間差分検出手段４の判定結果が第１閾値未満を示す画素データの組み合わせが存在する画素位置を検出することができない場合が考えられる。このような場合には、画像データの値の変化パターンが走査方向と同一方向に発生していることを認識した上で、補間ラインを挟む両走査線上の同一画素列に該当する２つの画素のデータの値の平均値を算出する処理（ステップ＃２と同様の処理）を行うものとしても良い。かかる補間処理を行った場合、補間ライン上では、補間ラインに平行に画素データの値が変化するように補間処理を行うことができるため、補間処理後の画像データを画面上に映した場合にも、大きなノイズとして現れることなく、画素データの変化位置が明確な画像が得られる。
【図面の簡単な説明】
【０１０３】
【図１】本発明に係る信号変換装置の概略構成を示すブロック図
【図２】本発明に係る信号変換装置による信号変換方法の例を説明するための画素データ構成図（１）
【図３】本発明に係る信号変換装置による信号変換方法の例を説明するための画素データ構成図（２）
【図４】本発明装置による信号変換方法の別の例を説明するための画素データ構成図（１）
【図５】本発明装置による信号変換方法の別の例を説明するための画素データ構成図（２）
【図６】従来の補間方法を示す模式図
【図７】別の従来の補間方法を示す模式図
【符号の説明】
【０１０４】
１：    本発明に係る信号変換装置
２ａ、２ｂ、３：    ラインメモリ
４：    ライン間差分検出手段
５ａ、５ｂ：    ライン内差分検出手段
６：    補間処理決定手段
７：    補間画素データ生成手段
８：    出力手段
１１：    第１走査線
１１ａ、１１ｂ、・・・：    第１走査線上の各画素
１１ｘ：    第１走査線上の画素の総称
１２：    第２走査線
１２ａ、１２ｂ、・・・：    第２走査線上の各画素
１２ｘ：    第２走査線上の画素の総称
１３：    補間ライン
１３ａ、１３ｂ、・・・：    補間ライン上の各補間画素
２１：    第１走査線
２１ａ、２１ｂ、・・・：    第１走査線上の各画素
２１ｘ：    第１走査線上の画素の総称
２２：    第２走査線
２２ａ、２２ｂ、・・・：    第２走査線上の各画素
２２ｘ：    第２走査線上の画素の総称
２３：    補間ライン
２３ａ、２３ｂ、・・・：    補間ライン上の各補間画素
５１：    第１走査線
５１ａ、６１ｂ、・・・：    第１走査線上の各画素
５２：    第２走査線
５２ａ、６２ｂ、・・・：    第２走査線上の各画素
５３：    補間ライン
５３ａ、６３ｂ、・・・：    補間ライン上の各補間画素
６１：    第１走査線
６１ａ、６１ｂ、・・・：    第１走査線上の各画素
６２：    第２走査線
６２ａ、６２ｂ、・・・：    第２走査線上の各画素
６３：    補間ライン
６３ａ、６３ｂ、・・・：    補間ライン上の各補間画素
ｓｉ：    インターレース走査信号
ｓｐ：    プログレッシブ走査信号
【図１】
2009077029.tif 000003
【図２】
2009077029.tif 000004
【図３】
2009077029.tif 000005
【図４】
2009077029.tif 000006
【図５】
2009077029.tif 000007
【図６】
2009077029.tif 000008
【図７】
2009077029.tif 000009